【手続補正書】
【提出日】令和3年2月12日(2021.2.12)
【手続補正１】
【補正対象書類名】特許請求の範囲
【補正対象項目名】請求項１
【補正方法】変更
【補正の内容】
【請求項１】
冷凍サイクル装置であって、
冷媒を圧縮して吐出する圧縮機（２１）と、
前記圧縮機から吐出された冷媒を放熱させる放熱器（２２）と、
前記放熱器を通過した冷媒を減圧膨張させる減圧部（２３）と、
前記減圧部で減圧された冷媒を蒸発させる蒸発器（２４）と、
前記圧縮機、前記放熱器、前記減圧部、および前記蒸発器を収容する筐体（１０）と、を備え、
運転モードが前記蒸発器で冷却された冷風を空調対象空間に供給する冷房モード、前記放熱器で加熱された温風を前記空調対象空間に供給される暖房モードに変更可能に構成され、
前記減圧部は、前記減圧部の絞り開度を調整するための弁部品（Ｘ１）を含んでおり、
前記弁部品は、
前記放熱器を通過した冷媒の少なくとも一部が流通する流体室（Ｘ１９）が形成される基部（Ｘ１１、Ｘ１２、Ｘ１３）と、
自らの温度が変化すると変位する駆動部（Ｘ１２３、Ｘ１２４、Ｘ１２５）と、
前記駆動部の温度の変化による変位を増幅する増幅部（Ｘ１２６、Ｘ１２７）と、
前記増幅部によって増幅された変位が伝達されて動くことで、前記流体室における冷媒の圧力を調整する可動部（Ｘ１２８）と、を有し、
前記駆動部が温度の変化によって変位したときに、前記駆動部が付勢位置（ＸＰ２）において前記増幅部を付勢することで、前記増幅部がヒンジ（ＸＰ０）を支点として変位するとともに、前記増幅部と前記可動部の接続位置（ＸＰ３）で前記増幅部が前記可動部を付勢し、
前記ヒンジから前記付勢位置までの距離よりも、前記ヒンジから前記接続位置までの距離の方が長くなっている、冷凍サイクル装置。
【手続補正２】
【補正対象書類名】特許請求の範囲
【補正対象項目名】請求項４
【補正方法】変更
【補正の内容】
【請求項４】
冷凍サイクル装置であって、
冷媒を圧縮して吐出する圧縮機（２１）と、
前記圧縮機から吐出された冷媒を放熱させる放熱器（２２）と、
前記放熱器を通過した冷媒を減圧膨張させる減圧部（２３）と、
前記減圧部で減圧された冷媒を蒸発させる蒸発器（２４）と、
前記圧縮機、前記放熱器、前記減圧部、および前記蒸発器を収容する筐体（１０）と、を備え、
運転モードが前記蒸発器で冷却された冷風を空調対象空間に供給する冷房モード、前記放熱器で加熱された温風を前記空調対象空間に供給される暖房モードに変更可能に構成され、
前記減圧部は、
前記放熱器を通過した冷媒が流入する入口流路（２８１）、前記入口流路に連通する弁室（２８３）、前記弁室に流入した冷媒を減圧膨張させる絞り流路（２８４）、前記絞り流路を通過した冷媒を前記蒸発器に向けて流出させる出口流路（２８２）が形成されたブロック体（２８）と、
前記弁室に収容され、前記絞り流路における絞り開度を調整する主弁体（２８５）と、
前記主弁体を駆動する駆動部材（Ｘ０）と、を含んでおり、
前記ブロック体には、前記主弁体を開弁側または閉弁側に押圧するための冷媒が導入される開度調整室（２８６）が形成されており、
前記駆動部材は、前記開度調整室の圧力を調整するための弁部品（Ｙ１）を含んでおり、
前記弁部品は、
前記開度調整室に導入する冷媒が流通する流体室（Ｙ１９）が形成される基部（Ｙ１１、Ｙ１２、Ｙ１３）と、
自らの温度が変化すると変位する駆動部（Ｙ１２３、Ｙ１２４、Ｙ１２５）と、
前記駆動部の温度の変化による変位を増幅する増幅部（Ｙ１２６、Ｙ１２７）と、
前記増幅部によって増幅された変位が伝達されて動くことで、前記流体室を流れる冷媒の圧力を調整する可動部（Ｙ１２８）と、を有し、
前記駆動部が温度の変化によって変位したときに、前記駆動部が付勢位置（ＹＰ２）において前記増幅部を付勢することで、前記増幅部がヒンジ（ＹＰ０）を支点として変位するとともに、前記増幅部と前記可動部の接続位置（ＹＰ３）で前記増幅部が前記可動部を付勢し、
前記ヒンジから前記付勢位置までの距離よりも、前記ヒンジから前記接続位置までの距離の方が長くなっている、冷凍サイクル装置。
【手続補正３】
【補正対象書類名】明細書
【補正対象項目名】０００７
【補正方法】変更
【補正の内容】
【０００７】
請求項１に記載の発明は、
冷凍サイクル装置であって、
冷媒を圧縮して吐出する圧縮機（２１）と、
圧縮機から吐出された冷媒を放熱させる放熱器（２２）と、
放熱器を通過した冷媒を減圧膨張させる減圧部（２３）と、
減圧部で減圧された冷媒を蒸発させる蒸発器（２４）と、
圧縮機、放熱器、減圧部、および蒸発器を収容する筐体（１０）と、を備え、
運転モードが蒸発器で冷却された冷風を空調対象空間に供給する冷房モード、放熱器で加熱された温風を空調対象空間に供給される暖房モードに変更可能に構成され、
減圧部は、減圧部の絞り開度を調整するための弁部品（Ｘ１）を含んでおり、
弁部品は、
放熱器を通過した冷媒の少なくとも一部が流通する流体室（Ｘ１９）が形成される基部（Ｘ１１、Ｘ１２、Ｘ１３）と、
自らの温度が変化すると変位する駆動部（Ｘ１２３、Ｘ１２４、Ｘ１２５）と、
駆動部の温度の変化による変位を増幅する増幅部（Ｘ１２６、Ｘ１２７）と、
増幅部によって増幅された変位が伝達されて動くことで、流体室における冷媒の圧力を調整する可動部（Ｘ１２８）と、を有し、
駆動部が温度の変化によって変位したときに、駆動部が付勢位置（ＸＰ２）において増幅部を付勢することで、増幅部がヒンジ（ＸＰ０）を支点として変位するとともに、増幅部と可動部の接続位置（ＸＰ３）で増幅部が可動部を付勢し、
ヒンジから付勢位置までの距離よりも、ヒンジから接続位置までの距離の方が長くなっている。
【手続補正４】
【補正対象書類名】明細書
【補正対象項目名】００１２
【補正方法】変更
【補正の内容】
【００１２】
請求項４に記載の発明は、
冷凍サイクル装置であって、
冷媒を圧縮して吐出する圧縮機（２１）と、
圧縮機から吐出された冷媒を放熱させる放熱器（２２）と、
放熱器を通過した冷媒を減圧膨張させる減圧部（２３）と、
減圧部で減圧された冷媒を蒸発させる蒸発器（２４）と、
圧縮機、放熱器、減圧部、および蒸発器を収容する筐体（１０）と、を備え、
運転モードが蒸発器で冷却された冷風を空調対象空間に供給する冷房モード、放熱器で加熱された温風を空調対象空間に供給される暖房モードに変更可能に構成され、
減圧部は、
放熱器を通過した冷媒が流入する入口流路（２８１）、入口流路に連通する弁室（２８３）、弁室に流入した冷媒を減圧膨張させる絞り流路（２８４）、絞り流路を通過した冷媒を蒸発器に向けて流出させる出口流路（２８２）が形成されたブロック体（２８）と、
弁室に収容され、絞り流路における絞り開度を調整する主弁体（２８５）と、
主弁体を駆動する駆動部材（Ｘ０）と、を含んでおり、
ブロック体には、主弁体を開弁側または閉弁側に押圧するための冷媒が導入される開度調整室（２８６）が形成されており、
駆動部材は、開度調整室の圧力を調整するための弁部品（Ｙ１）を含んでおり、
弁部品は、
開度調整室に導入する冷媒が流通する流体室（Ｙ１９）が形成される基部（Ｙ１１、Ｙ１２、Ｙ１３）と、
自らの温度が変化すると変位する駆動部（Ｙ１２３、Ｙ１２４、Ｙ１２５）と、
駆動部の温度の変化による変位を増幅する増幅部（Ｙ１２６、Ｙ１２７）と、
増幅部によって増幅された変位が伝達されて動くことで、流体室を流れる冷媒の圧力を調整する可動部（Ｙ１２８）と、を有し、
駆動部が温度の変化によって変位したときに、駆動部が付勢位置（ＹＰ２）において増幅部を付勢することで、増幅部がヒンジ（ＹＰ０）を支点として変位するとともに、増幅部と可動部の接続位置（ＹＰ３）で増幅部が可動部を付勢し、
ヒンジから付勢位置までの距離よりも、ヒンジから接続位置までの距離の方が長くなっている。